(57)【特許請求の範囲】
【請求項１】
複数の医用画像に関するデータと、前記複数の医用画像にそれぞれ対応する複数のサムネイルのデータとを記憶する記憶部と、  前記医用画像の縦横比又は画像種類に基づいて、前記サムネイルの配列方向を縦／横のいずれか一方に決定する配列方向決定部と、  前記決定された配列方向に従って配列された複数のサムネイルと、前記複数のサムネイルの中の選択状態にあるサムネイルに対応する医用画像とを含み、リスト、静止画表示、動画表示、及びメモの４つの遷移状態を選択可能にする表示画面のデータを発生する表示画面データ発生部と、  前記発生された表示画面を表示する表示部とを具備することを特徴とする携帯型医用画像表示装置。
【請求項２】
前記サムネイルの表示枠が下から上へドラックしてそのままポイントされている期間、前記医用画像は、奥行き方向にめくられ、前記サムネイルの表示枠が上から下へドラックしてそのままポイントされている期間、前記医用画像は、手前方向にめくられるように表示されることを特徴とする請求項１記載の携帯型医用画像表示装置。
【請求項３】
前記配列方向決定部は、前記医用画像の縦横比とともに、前記表示部の前記医用画像の表示エリアの縦横比に基づいて、前記サムネイルの配列方向を決定することを特徴とする請求項１又は２記載の携帯型医用画像表示装置。
【請求項４】
前記配列方向決定部は、縦横比を維持して前記医用画像を前記表示部の表示エリアに配置したとき余白が小さくなるように、前記サムネイルの配列方向を決定することを特徴とする請求項１又は２記載の携帯型医用画像表示装置。
【請求項５】
前記配列方向決定部は、前記医用画像の縦横比又は画像種類に基づいて、前記サムネイルの配列方向とともに、前記携帯型医用画像表示装置の縦置き／横置きを決定することを特徴とする請求項１又は２記載の携帯型医用画像表示装置。
【請求項６】
前記配列方向決定部は、前記複数の医用画像を表示対象としている期間は前記決定した前記携帯型医用画像表示装置の縦置き／横置きを固定することを特徴とする請求項５記載の携帯型医用画像表示装置。
【請求項７】
前記配列方向決定部は、前記複数の医用画像に対して前記サムネイルの配列方向を固定することを特徴とする請求項１又は２記載の携帯型医用画像表示装置。
【請求項８】
前記配列方向決定部は、前記医用画像ごとに前記サムネイルの配列方向を決定することを特徴とする請求項１又は２記載の携帯型医用画像表示装置。
【請求項９】
前記配列方向決定部は、前記医用画像がＸ線コンピュータ断層撮影装置、磁気共鳴映像装置又は超音波診断装置により発生された種類の画像であるとき、前記サムネイルの配列方向を横向きに決定することを特徴とする請求項１又は２記載の携帯型医用画像表示装置。
【請求項１０】
前記配列方向決定部は、前記医用画像がＸ線診断装置により発生された種類の画像であるとき、前記サムネイルの配列方向を縦向きに決定することを特徴とする請求項１又は２記載の携帯型医用画像表示装置。
【請求項１１】
前記表示部は、略３１２×４１６ピクセル以下の解像度を有することを特徴とする請求項１又は２記載の携帯型医用画像表示装置。
【請求項１２】
前記複数のサムネイルの中の任意のサムネイルが前記医用画像の表示領域にドラッグアンドドロップされたとき、前記任意のサムネイルに対応する医用画像が前記表示領域に表示されることを特徴とする請求項１又は２記載の携帯型医用画像表示装置。
【発明の詳細な説明】
【技術分野】
【０００１】
本発明は、携帯型医用画像表示装置に関する。
【背景技術】
【０００２】
現在、可搬性の高いＰＤＡ（Personal Digital Assistant)を、医用画像の表示に特化して利用しようとする動きがある。ＰＤＡで医用画像を表示する場合、画像の種別や形状に関係なくサムネイルは必ず右側に表示されていた。サムネイルの表示位置の変更はできない。そしてサムネイル部から大きく表示したい画像を表示部にドラッグ＆ドロップし、拡大表示させていた。医師は画像を観察するとき、ＰＤＡなどのディスプレイが小さい表示インタフェースを使用する場合、画面を有効に活用し、できるだけ大きく医用画像を表示させ、かつ扱いやすい機能配置が重要だが、サムネイルが右端にだけ表示されるため、ＰＤＡの表示領域の有効活用できていないという問題があった。例えば、アキシャル像はディスプレイを横長に使用したいが、右側にサムネイルが表示されているため、全体表示させると画像が小さくなり、大きく表示させると画像を全体表示できない。同じ位置にサムネイルが表示されていることにより、効率よく、画像を表示することができない。
【特許文献１】特開２００２−２１５８１０号公報
【特許文献１】特開２００３−０９９５４１号公報
【発明の開示】
【発明が解決しようとする課題】
【０００３】
本発明の目的は、携帯型医用画像表示装置において、医用画像をできるだけ大きく効率よく表示することにある。
【課題を解決するための手段】
【０００４】  本発明に係る携帯型医用画像表示装置は、複数の医用画像に関するデータと、前記複数の医用画像にそれぞれ対応する複数のサムネイルのデータとを記憶する記憶部と、前記医用画像の縦横比又は画像種類に基づいて、前記サムネイルの配列方向を縦／横のいずれか一方に決定する配列方向決定部と、前記決定された配列方向に従って配列された複数のサムネイルと、前記複数のサムネイルの中の選択状態にあるサムネイルに対応する医用画像とを含み、リスト、静止画表示、動画表示、及びメモの４つの遷移状態を選択可能にする表示画面のデータを発生する表示画面データ発生部と、前記発生された表示画面を表示する表示部とを具備する。
【発明の効果】
【０００５】
本発明によれば、携帯型医用画像表示装置において、医用画像をできるだけ大きく表示することができる。
【発明を実施するための最良の形態】
【０００６】
以下、図面を参照して本発明の実施形態を説明する。なお、携帯型医用画像表示装置は、ＰＤＡ（Personal Digital Assistant)を、Ｘ線コンピュータ断層撮影装置（ＣＴスキャナ）、磁気共鳴映像装置（ＭＲＩ）、超音波診断装置（ＵＳ）、Ｘ線診断装置（コンピューテッドラジオグラフィシステム（ＣＲ）、ディジタルラジオグラフィ装置（ＤＲ）、Ｘ線アンギオグラフィ装置（ＸＡ）を含む）等の医用画像検査装置により発生される医用画像の表示に特化した装置として定義される。ここでは、ＰＤＡビューワ（Personal Digital Assistant Viewer）と称する。
【０００７】
図１に示すように、本実施形態に係るＰＤＡビューワ１，２，３は、典型的には、病院内のＬＡＮ（ローカルエリアネットワーク）６に有線又は無線方式で接続される。しかしそれに限定されることはなく、本実施形態に係る他のＰＤＡビューワ４は、公衆電話交換網に代表されるような公衆網１２に直接的に接続され、本実施形態に係るさらに他のＰＤＡビューワ５は、病院外のＬＡＮ１３に接続されることが可能である。病院内ＬＡＮ６には、ＰＤＡビューワ１，２，３とともに、医用画像検査装置と、画像保管サーバ１０と、ＬＡＮ６を公衆網１２に接続するためのアクセスルータ１０とが例えば接続されている。病院外のＬＡＮ１３も同様にアクセスルータ１１を介して公衆網１２に接続されている。医用画像検査装置には、Ｘ線コンピュータ断層撮影装置（ＣＴ）７、磁気共鳴映像装置（ＭＲ）８、ディジタルラジオグラフィ装置（ＤＲ）９等が含まれる。画像保管サーバ１０は、医用画像検査装置で発生された複数の医用画像データファイルをそれぞれ付帯情報とともに保管し、ＰＤＡビューワ１〜５からの要求に呼応して医用画像データファイルを付帯情報とともに提供する。付帯情報には、検査日時、医用画像検査装置の種別コード、患者情報、画像情報等が含まれる。画像情報には、画像のマトリクスサイズ（横画素数×縦画素数）又は縦横比が含まれる。なお、画像保管サーバ１０には、主に医用画像データファイルがそれぞれ付帯情報とともに保管されるが、その他に検査関連情報、オーダ情報、レポート情報なども保管される。
【０００８】
図２には、ＰＤＡビューワ１〜５各々の構成を示している。ＰＤＡビューワ１〜５各々は、情報処理ユニット１４を中心として、表示設定条件メモリ１５、ＰＤＡ固有情報メモリ１６、画像データメモリ１７、リストデータメモデータメモリ１８、通信機器１９、液晶等のディスプレイ２０、タッチパネル２１から構成される。表示設定条件メモリ１５は、予め与えられた又は通信機器１９を介して外部から更新された表示設定条件を記憶している。表示設定条件は、詳細は後述するが、略３１２×４１６（横×縦）ピクセル又はそれ以下の解像度を有するディスプレイ２０の表示画面に画像をできるだけ大きく、換言すると、できるだけ余白を少なくして表示するために、主に画像の縦横比（又は画像種類）とディスプレイ２０の医用画像表示エリアの縦横比とに基づいて、サムネイルの配列方向（サムネイルを縦に配列して表示する／横に配列して表示する）と、ＰＤＡ配置方向（縦置き、横置き）とを決定するために必要な規則情報として定義される。ＰＤＡ固有情報メモリ１６は、ＰＤＡ固有情報を記憶する。ＰＤＡ固有情報には、ディスプレイ２０の表示画面全体のマトリクスサイズ（横画素数×縦画素数）、その縦横比、表示画面の大部分を占める医用画像表示エリアのマトリクスサイズ（横画素数×縦画素数）、その縦横比等が含まれる。
【０００９】
画像データメモリ１７は、画像保管サーバ１０から提供された表示対象の複数の医用画像データファイルをその付帯情報とともに記憶する。また、画像データメモリ１７は、記憶される複数の医用画像データファイルにそれぞれ対応する複数のサムネイルデータファイル（医用画像の絵柄が一目で分かるように縮小した画像見本）を記憶する。リストデータメモデータメモリ１８は、画像保管サーバ１０から提供された検査リスト又はメモデータを記憶する。情報処理ユニット１４は、ＰＤＡ全体制御中枢機能とともに、医用画像のサムネイルを作成する機能、医用画像の縦横比を表示設定条件に照らして、サムネイルの配列方向とＰＤＡ配置方向（縦置き、横置き）を決定する機能、決定された配列方向に従って配列された複数のサムネイルと、複数のサムネイルの中の選択状態にあるサムネイルに対応する医用画像とから、決定されたＰＤＡ配置方向に応じた向きの表示画面のデータを発生する機能等を有している。
【００１０】
図３には、ＰＤＡビューワ１〜５各々による医用画像表示動作の典型的な流れを示している。説明の便宜上、ＰＤＡビューワ１を例に説明する。まず、ＰＤＡビューワ１がＬＡＮコネクタ等を介して通信網６、１２又は１３に接続されると、情報処理ユニット１４は、通信網６、１２又は１３に対するログインのために必要な処理を行う（Ｓ１）。ログイン後、情報処理ユニット１４は、ＰＤＡビューワ１が画像保管サーバ１０に接続できる環境にあるか否かを確認する（Ｓ２）。情報処理ユニット１４は、ＰＤＡビューワ１が画像保管サーバ１０に接続できる環境にないとき、既に画像データメモリ１７に保管済みの医用画像データファイルに関する検査リストをディスプレイ２０に表示する（Ｓ３）。ＰＤＡビューワ１が画像保管サーバ１０に接続できる環境にあるとき、情報処理ユニット１４は、未読影の検査リスト情報の提供要求を送信するとともに、それに呼応して画像保管サーバ１０から送られてきた未読影の検査リスト情報を受信してメモリ１８に保管する（Ｓ４）。情報処理ユニット１４は、送られてきた検査リストをディスプレイ２０に表示する（Ｓ５）。検査リストの表示例を図４に示す。タッチパネル２１を介して検査リストから所望の検査が選択される。選択された検査で発生した複数の医用画像データファイルが、表示対象として設定される。情報処理ユニット１４は、選択された検査で発生した画像データファイルの提供要求を画像保管サーバ１０に送信するとともに、それに呼応して画像保管サーバ１０から送られてきた未読影の画像データファイルを付帯情報とともに受信して画像データメモリ１７に保管する。
【００１１】
次に、情報処理ユニット１４は、メモリ１５から表示設定条件を読み込む（Ｓ６）。なお、最新の表示設定条件が画像保管サーバ１０から送られてくる場合もある（Ｓ７）。表示設定条件とは、表示対象として設定された医用画像を、図５（ａ）、図５（ｂ）、図５（ｃ）、図５（ｄ）のいずれの表示パターンで表示するかを決めるための規則である。図５（ａ）は、ＰＤＡビューワ１を縦置きして、サムネイルを横方向に配列するパターンである。図５（ｂ）は、ＰＤＡビューワ１を縦置きして、サムネイルを縦方向に配列するパターンである。図５（ｃ）は、ＰＤＡビューワ１を横置きして、サムネイルを縦方向に配列するパターンである。図５（ｄ）は、ＰＤＡビューワ１を横置きして、サムネイルを横方向に配列するパターンである。これら４つのパターンでは、医用画像を表示するメイン画像表示エリアの縦横比が全て相違する。縦横比は、縦画素数／横画素数で定義される。図５（ｂ）のパターンが、縦横比が最も大きく、つまり非常に縦長な画像を表示するのに適しており、続いて図５（ｃ）のパターンが、縦横比が２番目に大きく、つまりやや縦長な画像を表示するのに適している。図５（ｄ）のパターンが、縦横比が最も小さく、つまり非常に横長な画像を表示するのに適しており、続いて図５（ａ）のパターンが、縦横比が２番目に小さく、つまりやや横長な画像を表示するのに適している。
【００１２】
信号処理ユニット１４は、これら４種の表示パターンの中から、表示対象の医用画像を表示するのに最も適しているパターン、つまりオリジナルの縦横比を維持したままで医用画像の縦画素数又横画素数を、各メイン画像表示エリアの縦画素数又横画素数に一致させるよう拡大縮小処理を適用したとき、横方向又は縦方向に発生する余白の部分が最も狭くなるパターンを表示設定条件に従って選択する（Ｓ８）。
【００１３】
図６乃至図９それぞれは、オリジナルの縦横比を維持して医用画像を拡大縮小したときのパターンごとの余白の大きさの違いを示している。余白が最も狭いパターンは、換言すると、医用画像を最大限大きく表示できるパターンに相当している。通常、医用画像検査装置によって、発生する医用画像の縦横比はほぼ決まっている。従って、Ｓ９〜Ｓ１２に示すように、発生元である医用画像検査装置を区別する画像種類によって、予め、どの表示パターンが最適なのかを決定することができる。この場合、表示設定条件としては、画像種類と表示パターンとの対応表として与えられる。
【００１４】
また、ＰＤＡビューワ１のメイン画像表示エリアの縦横比は表示パターンごとに固定である。従って表示対象の医用画像の縦横比によって、予め、どの表示パターンが最適なのかを決定することができる。この場合、表示設定条件としては、医用画像の縦横比と表示パターンとの対応表として与えられる。もちろん、予め表示設定条件を決定しておく以外にも、表示対象の医用画像が決まると、医用画像を拡大縮小処理を伴って表示パターンごとに余白の面積を計算し、最も余白の狭いパターンを選択する処理を信号処理ユニット１４で実施するようにしても良い。
【００１５】
なお、同一検査で発生する複数の医用画像は、典型的には同一の縦横比で発生される。従って、パターンの選択は、表示対象の複数の医用画像データファイルの中の任意、例えば最初の医用画像データファイルの医用画像の縦横比に従って決定される。また、同一検査で発生する複数の医用画像の間で、縦横比が一定ではないとき、最も頻度の高い縦横比で表示パターンを選択するか、または医用画像毎に最適な表示パターンを個別に選択するようにしても良い。ただし、その場合であっても、ＰＤＡビューワ１の置き方（持ち方）を縦／横で頻繁に切り替えると、非常に面倒で見難いので、ＰＤＡビューワ１の縦置き／横置きは固定され、サムネイルの配列方向のみ切り替えることが好ましい。
【００１６】
最適な表示パターンが決まると、信号処理ユニット１４は、メモリ１７に記憶された表示対象の複数の医用画像からそれぞれ対応する複数のサムネイルを作成し、複数のサムネイルを、選択された表示パターンに従って縦又は横方向に配列し、また選択された表示パターンのメイン画像表示エリアの縦又は横の画素数にあわせて医用画像を拡大縮小する（Ｓ１３）。そして信号処理ユニット１４は、縦又は横方向に配列された複数のサムネイルと、拡大縮小処理された医用画像とを含む表示画面を作成し、図１０、図１１に例示するように、表示する（Ｓ１４）。初期的には、検査で最初に発生された医用画像がメイン画像表示エリアに表示されるが、それ以後は、複数のサムネイルの中の選択状態にあるサムネイルに対応する医用画像がメイン画像表示エリアに表示される。
【００１７】
以上のように医用画像の縦横比又は画像種類に応じて、ＰＤＡビューワの縦置き又は横置きを選択し、さらにサムネイルの配列方向を縦／横で選択することで、表示範囲が限られたＰＤＡビューワにおいても医用画像をできるだけ大きく表示することができる。なお、上記説明では、医用画像の表示について主に説明したが、図１２に示すように、メモや電子カルテの表示にも同様に適用することができる。
【００１８】
実際の操作としては、複数のサムネイルの中の任意のサムネイルがサムネイル列から医用画像のメイン画像表示エリアにドラッグアンドドロップされたとき、情報処理ユニット１４により、任意のサムネイルに対応する医用画像がメイン画像表示エリアに表示され、その画像のサムネイルがサムネイル配列の中心に表示されるようにサムネイル配列が前後にスクロールされる。また、画像の種別（モダリティ）や画像の輪郭抽出などを用いて、アキシャル像なら、サムネイルを上もしくは下に表示する。また、コロナル像ならサムネイルを右、もしくは左に表示するようにする。画像の種類により、最適な位置にサムネイルを表示する。また、表示部分に表示された画像をサムネイル部にドラッグ＆ドロップすると一枚前の画像が表示できることが好ましい。また、表示部分に表示された画像をサムネイル部にドラッグ＆ドロップするとその画像がサムネイルの真中に位置するようにサムネイルが表示されることが好ましい。サムネイル表示された画像の表示枠をポイントしたままにしておくと縦方向に画像がめくられていくように表示部に表示する。あるいは下から上へドラックしてそのままポイントしていると奥行き方向にめくられ、逆に上から下へドラックしてそのままポイントしていると手前方向に自動的にめくられる。医用画像を扱う上で必要な４つの遷移状態（リスト、静止画表示、動画表示、メモ）を全て表示し、そのボタンを押すことでいつでもその状態に移行できる。医用画像のある一部に印などを記入するとメモが自動的に記入できるようにサムネイル表示部がメモ書き表示になる。右手で操作するひとには右利き用（特に右親指）の機能配置をサムネイルや遷移状態順序を作成し、逆に左手（特に左親指）で操作する場合はその配置を逆にする。つまり片手で操作する。２つの画像を同時にＰＤＡ表示領域最大に表示する場合、その二つの画像が最大にＰＤＡの表示画面に収まるように横向き表示、縦向き表示などに配置する。
【００１９】
その他、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００２０】
【図１】本発明の実施形態に係るＰＤＡビューワ（携帯型医用画像表示装置）の位置付けを示す図。
【図２】本実施形態に係るＰＤＡビューワの構成を示す図。
【図３】本実施形態に係るＰＤＡビューワの動作を示すフローチャート。
【図４】図３のＳ３，Ｓ５のリスト画面例を示す図。
【図５】本実施形態による４種の表示パターンを示す図。
【図６】本実施形態による表示パターン選択の利点を示す図。
【図７】本実施形態による表示パターン選択の利点を示す図。
【図８】本実施形態による表示パターン選択の利点を示す図。
【図９】本実施形態による表示パターン選択の利点を示す図。
【図１０】本実施形態による実際の表示例を示す中間調画像。
【図１１】本実施形態による実際の表示例を示す図。
【図１２】本実施形態による画像以外の表示例を示す図。
【符号の説明】
【００２１】
１〜５…ＰＤＡビューワ（Personal Digital Assistant Viewer）、６，１３…ＬＡＮ、７…Ｘ線コンピュータ断層撮影装置（ＣＴスキャナ）、８…磁気共鳴映像装置（ＭＲ）、９…ディジタルラジオグラフィ装置（ＤＲ）、１０，１１…アクセスルータ、１２…公衆網。
【図１】
0004634731.tif 000002
【図２】
0004634731.tif 000003
【図３】
0004634731.tif 000004
【図４】
0004634731.tif 000005
【図５】
0004634731.tif 000006
【図６】
0004634731.tif 000007
【図７】
0004634731.tif 000008
【図８】
0004634731.tif 000009
【図９】
0004634731.tif 000010
【図１０】
0004634731.tif 000011
【図１１】
0004634731.tif 000012
【図１２】
0004634731.tif 000013